(57)【要約】【課題】枝梗付着粒や穂切れ粒の単粒化を促し、選別精度を向上させる。【解決手段】外周面に複数の扱歯４ａが突設された扱胴４を扱室３内に回転自在に支持すると共に、多数の漏下孔５ａが形成された円弧状の受網５を扱胴４の下側に沿って配置し、扱胴４が脱穀した穀粒を受網５の漏下孔５ａから漏下させる脱穀装置１において、漏下孔５ａの扱胴回転上手側の端縁に、受網５の内周面よりも外周側に位置する段差部５ｄを設け、漏下孔５ａに入った扱き下ろし物を、段差部５ｄで一時的に保持し、扱歯４ａの処理作用を十分に受けてから漏下させる。【選択図】図５
2010187607.tif 000002
【特許請求の範囲】
【請求項１】
外周面に複数の扱歯が突設された扱胴を扱室内に回転自在に支持すると共に、多数の漏下孔が形成された円弧状の受網を扱胴の下側に沿って配置し、扱胴が脱穀した穀粒を受網の漏下孔から漏下させる脱穀装置において、
前記漏下孔の扱胴回転上手側の端縁に、受網の内周面よりも外周側に位置する段差部を設けたことを特徴とする脱穀装置の受網構造。
【請求項２】
前記受網は、円弧状の多孔板を二枚重ねて構成され、多孔板同士の相対的な変位にもとづいて漏下孔の目合いを調整可能であり、漏下孔の目合い縮小調整時に、漏下孔の扱胴回転上手側の端縁に前記段差部を形成することを特徴とする請求項１記載の脱穀装置の受網構造。
【請求項３】
前記漏下孔の扱室入口側の端縁にも、受網の内周面よりも外周側に位置する段差部を設けたことを特徴とする請求項１又は２記載の脱穀装置の受網構造。
【発明の詳細な説明】
【技術分野】
【０００１】
本発明は、コンバイン、ハーベスタなどの脱穀装置の受網構造に関する。
【背景技術】
【０００２】
コンバイン、ハーベスタなどの脱穀装置では、外周面に複数の扱歯が突設された扱胴を扱室内に回転自在に支持すると共に、多数の漏下孔が形成された円弧状の受網を扱胴の下側に沿って配置し、扱胴が脱穀した穀粒を受網の漏下孔から漏下させるようになっている。受網としては、円弧状の多孔板が広く採用されており、このような受網によれば、耐久性に優れるだけでなく、漏下孔の形状や大きさを任意に設定できるという利点がある（例えば、特許文献１参照）。
【先行技術文献】
【特許文献】
【０００３】
【特許文献１】特開２００４−２３６６２２号公報
【発明の概要】
【発明が解決しようとする課題】
【０００４】
しかしながら、従来の受網に形成される漏下孔は、単純な打ち抜き孔であるため、漏下孔に入った扱き下ろし物は、扱歯の処理作用を受けることなく、そのまま漏下される。その結果、単粒化された穀粒だけでなく、枝梗付着粒や穂切れ粒もそのまま漏下し、選別精度を低下させるという問題があった。
【課題を解決するための手段】
【０００５】
本発明は、上記の如き実情に鑑みこれらの課題を解決することを目的として創作されたものであって、請求項１の発明は、外周面に複数の扱歯が突設された扱胴を扱室内に回転自在に支持すると共に、多数の漏下孔が形成された円弧状の受網を扱胴の下側に沿って配置し、扱胴が脱穀した穀粒を受網の漏下孔から漏下させる脱穀装置において、前記漏下孔の扱胴回転上手側の端縁に、受網の内周面よりも外周側に位置する段差部を設けたことを特徴とする。
また、請求項２の発明は、前記受網は、円弧状の多孔板を二枚重ねて構成され、多孔板同士の相対的な変位にもとづいて漏下孔の目合いを調整可能であり、漏下孔の目合い縮小調整時に、漏下孔の扱胴回転上手側の端縁に前記段差部を形成することを特徴とする。
また、請求項３の発明は、前記漏下孔の扱室入口側の端縁にも、受網の内周面よりも外周側に位置する段差部を設けたことを特徴とする。
【発明の効果】
【０００６】
請求項１の発明によれば、漏下孔の端縁に段差部を設けたので、漏下孔に入った扱き下ろし物は、段差部で一時的に保持され、扱歯の処理作用を十分に受けてから漏下されることになり、その結果、枝梗付着粒や穂切れ粒の単粒化を促し、選別精度を向上させることができる。また、段差部は、漏下孔の扱胴回転上手側の端縁に設けられるので、段差部で保持された穀粒が長時間に亘って停滞することなく、扱胴の回転に応じて速やかに漏下させることができる。また、段差部は、受網の内周面よりも外周側に位置するので、受網内における茎稈や扱下し物の移送を妨げる不都合がない。
また、請求項２の発明によれば、漏下孔の目合い調整により、各種材料に対する適応性を向上させることができ、しかも、漏下孔の目合い縮小調整時に段差部を形成するので、漏下孔の目合い縮小と段差部の相乗作用により、選別精度を更に向上させることができる。
また、請求項３の発明によれば、漏下孔の扱室入口側の端縁にも段差部を設けたので、２つの段差部の相乗作用により、選別精度を更に向上させることができる。
【図面の簡単な説明】
【０００７】
【図１】脱穀装置の内部側面図である。
【図２】扱室開放状態を示す脱穀装置の正面図である。
【図３】目合い拡大状態を示す受網の全体斜視図である。
【図４】目合い縮小状態を示す受網の全体斜視図である。
【図５】受網の正面断面図である。
【図６】受網の側面断面図である。
【図７】目合い縮小状態（扱胴回転上手側の端縁に段差部を形成した状態）を示す受網の平面図である。
【図８】目合い縮小状態（扱胴回転上手側及び扱室入口側の端縁に段差部を形成した状態）を示す受網の平面図である。
【図９】目合い縮小状態（扱室入口側の端縁に段差部を形成した状態）を示す受網の平面図である。
【図１０】段差部の作用説明図である。
【図１１】受網の他例を示す平面図である。
【図１２】（Ａ）〜（Ｃ）は受網の他例を示す平面図である。
【発明を実施するための形態】
【０００８】
以下、本発明の実施の形態について、図面に基づいて説明する。図１において、１はコンバインに設けられる脱穀装置であって、該脱穀装置１は、茎稈の株元部を挟持して後方に搬送する脱穀フィードチェン２と、脱穀フィードチェン２によって搬送される茎稈の穂先側を導入する扱室３と、扱室３内に回転自在に内装され、外周部に設けられる複数の扱歯４ａで茎稈の穂先側から穀粒を扱き下ろす扱胴４と、扱胴４の下側に沿って配置され、扱胴４が脱穀した穀粒（扱下し物）を漏下孔５ａから漏下させる受網５と、受網５から漏下した穀粒を選別する選別室６とを備えて構成されている。
【０００９】
図２に示すように、扱室３の上方は、開閉自在なシリンダカバー７で覆われており、該シリンダカバー７を開放操作すると、扱室３が開放され、扱室３内の清掃、点検、整備などを行うことが可能になる。また、本実施形態の脱穀装置１では、扱胴４をシリンダカバー７側で回転自在に支持し、シリンダカバー７の開放に伴って扱胴４が上昇する構造となっているため、受網５の上方を広く開放させた状態で、後述する目合い調整を行うことが可能になる。尚、図中において、符号の８はシリンダカバー７の回動支点、９はシリンダカバー７を開放方向に付勢するガスシリンダ、１０は開放ロックを解除するロック解除レバーである。
【００１０】
図３及び図４に示すように、受網５は、多数の漏下孔５ａが打ち抜き加工された円弧状の多孔板５ｂを用いて形成されている。本実施形態の受網５は、扱胴回転方向及び茎稈搬送方向に並ぶ複数の多孔板５ｂを含んでおり、各多孔板５ｂの端縁部が網枠フレーム５ｃを介して扱室フレーム１１や扱口板１２に固定されるようになっている。
【００１１】
受網５の扱室入口側は、多孔板５ｂを二枚重ねて構成されており、多孔板５ｂ同士の相対的な変位にもとづいて漏下孔５ａの目合いを調整できるようになっている。このようにすると、漏下孔５ａの目合い調整により、各種材料に対する適応性を向上させることができる。例えば、濡れ材のように積極的に漏下させたい材料の場合は、図３に示すように、扱室入口側の目合いを拡大調整することにより、受網５の全域で穀粒の漏下を促進することができる。また、高い選別精度が要求される材料の場合は、図４に示すように、扱室入口側の目合いを縮小調整することにより、扱室入口側での漏下を抑えて扱歯４ａの処理作用を促進しつつ、目合いの大きい扱室出口側で穀粒を積極的に漏下させることができる。
【００１２】
多孔板５ｂを二枚重ねて受網５を構成した場合、多孔板５ｂ同士を相対的に変位させることにより、漏下孔５ａの端縁に段差部５ｄ、５ｅを形成することができる。このような段差部５ｄ、５ｅを形成すると、漏下孔５ａに入った扱き下ろし物は、段差部５ｄ、５ｅで一時的に保持され、扱歯４ａの処理作用を十分に受けてから漏下されることになり、その結果、枝梗付着粒や穂切れ粒の単粒化を促し、選別精度を向上させることができる。また、この段差部５ｄ、５ｅは、受網５の内周面よりも外周側に位置するので、受網５内における茎稈や扱下し物の移送を妨げる不都合がない。
【００１３】
段差部５ｄ、５ｅは、漏下孔５ａの扱胴回転上手側の端縁や、漏下孔５ａの扱室入口側の端縁に形成することが好ましい。例えば、図７及び図８に示すように、漏下孔５ａの扱胴回転上手側の端縁に段差部５ｄを形成すると、段差部５ｄで保持された穀粒が長時間に亘って停滞することなく、扱胴４の回転に応じて速やかに漏下させることができ、また、図８及び図９に示すように、漏下孔５ａの扱室入口側の端縁に段差部５ｅを形成すると、段差部５ｅで保持された穀粒が長時間に亘って停滞することなく、茎稈や扱下し物の移送に応じて速やかに漏下させることができる。
【００１４】
次に、多孔板５ｂの変位構造について、図３〜図９を参照して説明する。これらの図に示すように、本実施形態では、多孔板５ｂを二枚重ねて受網５を構成するにあたり、上側の多孔板５ｂを固定とし、下側の多孔板５ｂを変位させる。具体的には、上側多孔板５ｂの四隅にＬ字状の長孔５ｆを形成する一方、下側多孔板５ｂの四隅にプロジェクションナット５ｇを溶着し、四本の調整ボルト５ｈを、上側多孔板５ｂの上方から長孔５ｆを介してプロジェクションナット５ｇに螺合させる。このような多孔板５ｂの変位構造によれば、調整ボルト５ｈを緩めることにより、長孔５ｆに沿って下側多孔板５ｂを変位させることができる。
【００１５】
そして、図７及び図８に示すような長孔形状によれば、漏下孔５ａの目合いを拡大し、段差部５ｄ、５ｅを形成しない状態と（図示せず）、漏下孔５ａの目合いを縮小し、漏下孔５ａの扱胴回転上手側の端縁に段差部５ｄを形成する状態と（図７参照）、漏下孔５ａの目合いをさらに縮小し、漏下孔５ａの扱胴回転上手側及び扱室入口側の端縁に段差部５ｄ、５ｅを形成する状態と（図８参照）を現出させることができる。
【００１６】
また、図９に示すような長孔形状によれば、漏下孔５ａの目合いを拡大し、段差部５ｄ、５ｅを形成しない状態と（図示せず）、漏下孔５ａの目合いを縮小し、漏下孔５ａの扱室入口側の端縁に段差部５ｅを形成する状態と（図９参照）、漏下孔５ａの目合いをさらに縮小し、漏下孔５ａの扱胴回転上手側及び扱室入口側の端縁に段差部５ｄ、５ｅを形成する状態と（図示せず）を現出させることができる。
【００１７】
次に、段差部５ｄ、５ｅの作用について、図１０を参照して説明する。この図に示すように、受網５は、多孔板５ｂを二枚重ねて構成されており、多孔板５ｂ同士を相対的に変位させることにより、漏下孔５ａの端縁に段差部５ｄ、５ｅが形成される。この段差部５ｄ、５ｅは、漏下孔５ａに入った扱き下ろし物を一時的に保持し、扱歯４ａの処理作用を受ける機会を与える。例えば、図１０に示すように、枝梗付着粒や穂切れ粒が段差部５ｄ、５ｅに載ると、扱歯４ａの処理作用を受けて単粒化が促進される。
【００１８】
また、段差部５ｄ、５ｅは、漏下孔５ａの扱胴回転上手側の端縁や、漏下孔５ａの扱室入口側の端縁に形成されているので、段差部５ｄ、５ｅで保持された穀粒は、そこに長時間に亘って停滞することなく、扱胴４の回転や、茎稈や扱下し物の移送に応じて速やかに漏下することができる。しかも、段差部５ｄ、５ｅは、受網５の内周面よりも外周側に位置するので、受網５内における茎稈や扱下し物の移送を妨げる不都合もない。
【００１９】
叙述の如く構成された本実施形態によれば、外周面に複数の扱歯４ａが突設された扱胴４を扱室３内に回転自在に支持すると共に、多数の漏下孔５ａが形成された円弧状の受網５を扱胴４の下側に沿って配置し、扱胴４が脱穀した穀粒を受網５の漏下孔５ａから漏下させる脱穀装置１において、漏下孔５ａの扱胴回転上手側の端縁に、受網５の内周面よりも外周側に位置する段差部５ｄを設けたので、漏下孔５ａに入った扱き下ろし物は、段差部５ｄで一時的に保持され、扱歯４ａの処理作用を十分に受けてから漏下されることになり、その結果、枝梗付着粒や穂切れ粒の単粒化を促し、選別精度を向上させることができる。また、段差部５ｄは、漏下孔５ａの扱胴回転上手側の端縁に設けられるので、段差部５ｄで保持された穀粒が長時間に亘って停滞することなく、扱胴４の回転に応じて速やかに漏下させることができる。また、段差部５ｄは、受網５の内周面よりも外周側に位置するので、受網５内における茎稈や扱下し物の移送を妨げる不都合がない。
【００２０】
また、受網５は、円弧状の多孔板５ｂを二枚重ねて構成され、多孔板５ｂ同士の相対的な変位にもとづいて漏下孔５ａの目合いを調整可能であり、漏下孔５ａの目合い縮小調整時に、漏下孔５ａの扱胴回転上手側の端縁に段差部５ｄを形成するので、漏下孔５ａの目合い調整により、各種材料に対する適応性を向上させることができ、しかも、漏下孔５ａの目合い縮小調整時に段差部５ｄを形成するので、漏下孔５ａの目合い縮小と段差部５ｄの相乗作用により、選別精度を更に向上させることができる。
【００２１】
また、漏下孔５ａの扱室入口側の端縁にも、受網５の内周面よりも外周側に位置する段差部５ｅを設けることができるので、２つの段差部５ｄ、５ｅの相乗作用により、選別精度を更に向上させることができる。
【００２２】
尚、本発明は、前記実施形態に限定されないことは勿論であって、特許請求の範囲内において任意の変更が可能であることは言うまでもない。例えば、前記実施形態では、漏下孔５ａが横長の長方形であったが、図１１に示すように、傾斜した長孔形状（扱室出口側が扱胴回転下手側に偏倚するように傾斜した長孔形状）でもよい。この場合、漏下孔５ａの端縁に設けられる段差部５ｄ、５ｅも長孔に沿った形状となる。また、前記実施形態では、漏下孔５ａの目合いを調整可能にしているが、漏下孔５ａの目合いは調整不能であってもよい。
【００２３】
また、前記実施形態では、均一な漏下孔５ａが形成された上側多孔板５ｂに対し、均一な漏下孔５ａが形成された下側多孔板５ｂを重ねていたが、上側多孔板５ｂ及び／又は下側多孔板５ｂの漏下孔５ａを不均一とし、漏下孔５ａの目合いや、段差部５ｄ、５ｅの大きさに変化を持たせてもよい。例えば、図１２の（Ａ）に示すように、均一な漏下孔５ａが形成された上側多孔板５ｂに対し、図１２の（Ｂ）に示すように、移送方向上手側ほど幅（又は長さ）が小さくなる漏下孔５ａが形成された下側多孔板５ｂを重ねて、図１２の（Ｃ）に示すような受網５を形成することができる。このようにすると、扱室３の入口側では、漏下孔５ａの目合いが小さく、かつ、段差部５ｄ（又は段差部５ｅ）の面積が大きくなる一方、扱室３の出口側では、漏下孔５ａの目合いが大きく、かつ、段差部５ｄ（又は段差部５ｅ）の面積が小さくなるので、扱室入口側で扱歯４ａの処理作用を促進しつつ、扱室出口側で穀粒を積極的に漏下させることができる。
【符号の説明】
【００２４】
１    脱穀装置
２    脱穀フィードチェン
３    扱室
４    扱胴
４ａ  扱歯
５    受網
５ａ  漏下孔
５ｂ  多孔板
５ｄ  段差部
５ｅ  段差部
【図１】
2010187607.tif 000003
【図２】
2010187607.tif 000004
【図３】
2010187607.tif 000005
【図４】
2010187607.tif 000006
【図５】
2010187607.tif 000007
【図６】
2010187607.tif 000008
【図７】
2010187607.tif 000009
【図８】
2010187607.tif 000010
【図９】
2010187607.tif 000011
【図１０】
2010187607.tif 000012
【図１１】
2010187607.tif 000013
【図１２】
2010187607.tif 000014